(57)【要約】  カメラアセンブリ（１０）が提供される。カメラアセンブリは、レンズホルダ（１２）、レンズホルダ（１２）内に設置されるレンズ（１４）、回路基板（１５）、回路基板（１５）に設置されるカメラセンサ（１６）、および回路基板（１５）に電気的に接続される環境光センサ（１７）を備える。レンズホルダ（１２）は、光透過通路（１２１）を限定し、カメラセンサ（１６）は、光透過通路（121）を介してレンズ（14）に対応して設置される。環境光センサ（17）はカメラセンサ（16）またはレンズホルダ（12）に設置される。環境光は、レンズ（14）および光透過通路（１２１）を透過し、さらにカメラセンサ（１６）および環境光センサ（１７）に入射する。カメラアセンブリ（１０）を有する電子装置がさらに開示される。
2021516510.tif 000002
【特許請求の範囲】
【請求項１】
カメラアセンブリ（10）であって、
光透過通路（１２１）を限定するレンズホルダ（１２）と、
前記レンズホルダ（１２）に設置されるレンズ（１４）と、
回路基板（15）と、
前記回路基板（１５）に設置され、前記光透過通路（１２１）を介して前記レンズ（１４）に対応するカメラセンサ（１６）と、
前記回路基板（１５）に電気的に接続され、前記カメラセンサ（１６）または前記レンズホルダ（１２）に設置される環境光センサ（１７）とを、備え、
ここで、環境光は、前記レンズ（１４）および前記光透過通路（１２１）を透過し、さらに前記カメラセンサ（１６）および前記環境光センサ（１７）に入射するカメラアセンブリ。
【請求項２】
請求項１に記載のカメラアセンブリ（１０）であって、
前記環境光センサ（１７）は、前記カメラセンサ（１６）の前記光透過通路（１２１）を向く表面に取り付けられるカメラアセンブリ。
【請求項３】
請求項２に記載のカメラアセンブリ（１０）であって、
挿入孔（１６２）は、前記光センサ（１６）の前記光透過通路（１２１）を向く一方の側に限定され、前記環境光センサ（１７）は、挿入孔（１６２）に埋め込まれるカメラアセンブリ。
【請求項４】
請求項３に記載のカメラアセンブリ（１０）であって、
前記カメラセンサ（１６）は、配線層（１６３）と、前記配線層（１６３）に配列される複数のフォトダイオードとを備え、前記挿入孔（１６２）は、前記配線層（１６３）内に限定され、かつ前記複数のフォトダイオードによって囲まれるカメラアセンブリ。
【請求項５】
請求項３に記載のカメラアセンブリ（１０）であって、
前記カメラセンサ（１６）は、配線層（１６３）と、前記配線層（１６３）に配列される複数のフォトダイオード（１６５）とを備え、前記配線層（１６３）に設置され、かつ前記光透過通路（１２１）と位置合わせされる、前記複数のフォトダイオード（１）の１つは、環境光センサ（１７）であるカメラアセンブリ。
【請求項６】
請求項１〜５のいずれか一項に記載のカメラアセンブリ（１０）であって、
前記環境光センサ（１７）は、前記カメラセンサ（１６）の前記レンズ（１４）を向く表面に設置されるカメラアセンブリ。
【請求項７】
請求項１〜６のいずれか一項に記載のカメラアセンブリ（１０）であって、
前記環境光センサ（１７）の中心は前記レンズ（１４）の軸と位置合わせされるカメラアセンブリ。
【請求項８】
請求項１〜７のいずれか一項に記載のカメラアセンブリ（１０）であって、
前記レンズホルダ（１２）は、前記光透過通路（１２１）を形成する内壁（１２１ａ）を備え、面取り（１２８）は、前記レンズ（１４）に隣接する前記内壁（１２１ａ）の一端に形成される、前記環境光センサ（１７）は、前記面取り（１２８）に取り付けられるカメラアセンブリ。
【請求項９】
請求項１から８のいずれか一項に記載のカメラアセンブリ（１０）であって、
前記レンズホルダ（１２）は、前記光透過通路（１２１）を形成する内壁（１２１ａ）を備え、階段部（１２６）は、光透過通路（１２１）内に前記レンズ（１４）に隣接する前記内壁（１２１ａ）の一端において形成される、赤外線フィルタ（１８）は、前記階段部（１２６）に設置されるカメラアセンブリ。
【請求項１０】
請求項９に記載のカメラアセンブリ（１０）であって、
受容部（１２４）はさらに、前記階段部（１２６）に前記カメラ部（１６）から離れる一方の側において限定され、前記環境光センサ（１７）は、前記受容孔（１２４）に受容され、環境光は、前記環境光センサ（１７）に入射することができるカメラアセンブリ。
【請求項１１】
請求項９に記載のカメラアセンブリ（１０）であって、
貫通スロット（１２７）は前記レンズホルダ（１２）に限定され、ワイヤは前記貫通スロット（１２７）を通り、さらに前記環境光センサ（17）および前記回路基板（15）に電気的に接続されるカメラアセンブリ。
【請求項１２】
請求項１〜１１のいずれか一項に記載のカメラアセンブリ（１０）であって、
受容空間（１２３）は、前記レンズホルダ（１２）の前記回路基板（１５）を向く一方の側に限定され、前記光透過通路（１２１）は、前記レンズホルダ（１２）を通って延在し、さらに前記受容空間（１２３）と連通するカメラアセンブリ。
【請求項１３】
請求項１〜１２のいずれか一項に記載のカメラアセンブリ（１０）であって、
前記レンズホルダ（１２）に設置される赤外線フィルタ（１８）をさらに備え、環境光は前記赤外線フィルタ（１８）を透過し、さらに前記カメラセンサ（１６）と前記環境光センサ（１７）に入射するカメラアセンブリ。
【請求項１４】
請求項１〜１３のいずれか一項に記載のカメラアセンブリ（１０）であって、
前記レンズ（１４）の軸は、前記光透過通路（１２１）の中心線と一致し、さらに、前記カメラセンサ（１６）の中心と位置合わせされるカメラアセンブリ。
【請求項１５】
開口部（３０２）を限定するハウジング（３０）と、前記ハウジング（３０）内に受容される表示画面（４０）とを備える電子装置であって、
請求項１〜１４のいずれか一項に記載のカメラアセンブリ（１０）をさらに備え、前記カメラアセンブリ（１０）は前記ハウジング（３０）に取り付けられることを特徴とする電子装置。
【発明の詳細な説明】
【技術分野】
【０００１】
本開示は、電子装置に関し、特に、カメラアセンブリ、およびカメラアセンブリを備える電子装置に関する。
【背景技術】
【０００２】
技術の発展に伴い、スマートフォン、タブレットコンピュータなどのような携帯型電子装置がますます広く使用されている。現在、スマートフォンまたはタブレットコンピュータ正面には、カメラアセンブリ用の第１の開口部と環境光センサ用の第２の開口部とが一般に設けてられている。このように、スマートフォンまたはタブレットコンピュータのスクリーン対ボディ比が低下するので、ユーザーエクスペリエンスも低下する。
【発明の概要】
【０００３】
本開示は、カメラアセンブリを提供する。カメラアセンブリは、レンズホルダ、レンズホルダに設置されるレンズ、回路基板、回路基板に設置されるカメラセンサ、および回路基板に電気的に接続される環境光センサを備えてもよい。レンズホルダは光透過通路を限定し、カメラセンサは光透過通路を介してレンズに対応して設置される。環境光センサはカメラセンサまたはレンズホルダに設置される。環境光はレンズと光透過通路を透過し、さらにカメラセンサと環境光センサに入射する。
【０００４】
別の態様では、カメラアセンブリがさらに提供されてもよい。カメラアセンブリは、レンズホルダ、レンズホルダ内に設置されるレンズ、回路基板、回路基板に設置されるカメラセンサ、および回路基板に電気的に接続される環境光センサを備えてもよい。レンズホルダは光透過通路を限定する。レンズの軸は、光透過通路の中心線と一致し、さらにカメラセンサの中心と位置合わせされる。環境光センサはカメラセンサまたはレンズホルダに設置される。環境光はレンズと光透過通路を透過し、さらにカメラセンサと環境光センサに入射する。
【０００５】
さらなる態様では、電子装置も提供されてもよい。電子装置は、ハウジングと、ハウジング内に設置されるカメラアセンブリとを備えてもよい。カメラアセンブリ用の開口部は、ハウジング内に限定される。カメラアセンブリは、レンズホルダ、レンズホルダに設置され開口部と位置合わせされるレンズ、回路基板、回路基板に設置されるカメラセンサ、および回路基板に電気的に接続される環境光センサを備えてもよい。レンズホルダは、光透過通路を限定するが、カメラセンサは、光透過通路を介してレンズに対応して設置される。環境光は、レンズおよび光透過通路を透過して、さらに、カメラセンサおよび環境光センサに入射する。
【図面の簡単な説明】
【０００６】
本開示の実施形態における技術案をより明確に説明するために、以下は、実施形態を説明することに必要な添付の図面を簡単に紹介する。明らかに、以下の説明における添付の図面は、本開示のいくつかの実施形態にすぎない。当業者にとって、他の図面は創造的な努力なしにこれらの図面に基づいて得ることができる。
【０００７】
【図１】図１は、本開示の第１の実施形態によるカメラアセンブリの概略構造図である。
【０００８】
【図２】図２は、図１に示すカメラセンサの部分的透視構成図である。
【０００９】
【図３】図３は、本開示の第２の実施形態によるカメラセンサの部分的透視構造図である。
【００１０】
【図４】図４は、本開示の第３の実施形態によるカメラアセンブリの概略構造図である。
【００１１】
【図５】図５は、本開示の第４の実施形態によるカメラアセンブリの概略構造図である。
【００１２】
【図６】図６は、本開示の第５の実施形態によるカメラアセンブリの概略構造図である。
【００１３】
【図７】図７は、本開示の第６の実施形態によるカメラアセンブリの概略構造図である。
【００１４】
【図８】図８は、本開示の第７の実施形態に係る電子装置の概略構成図である。
【発明を実施するための形態】
【００１５】
本開示の実施形態における技術案は、本例示的開示の実施形態における添付の図面を参照して、以下に明確かつ完全に詳細に説明されるであろう。本開示に記載の実施形態に基づいて、当業者は創造的な努力なしに他のすべての実施形態を獲得することができ、これらすべては本開示の保護範囲内に含まれるものとする。
【００１６】
本開示の実施形態の説明では、「上」、「下」、「左」、「右」などの用語によって示される方向または位置関係は、図面に示されている方向または位置関係に基づいており、デバイスまたはコンポーネントが必ず特定の方向を持つ、または構築および操作されなければならないことを示唆または示すのではなく、単に説明の便宜と説明の簡略化のためであり、したがって、これらの用語は、本開示を限定するものとして解釈されるべきではないことを理解されたく、理解されたい。
【００１７】
なお、本開示の実施形態の説明において、「厚み」等によって示される方向や位置関係は、図示の方向や位置関係に基づいており、デバイスまたはコンポーネントが特定の方向を持つ、または特定の方向で構築および操作されなければならないことを示唆または示すのではなく、単に説明の便宜および説明の簡略化のためであり、したがってこれらの用語は本開示を限定するものとして解釈されるべきではないことを7理解されたい。
【００１８】
一態様では、本開示は、カメラアセンブリを提供する。カメラアセンブリは、レンズホルダ、レンズホルダに設置されるレンズ、回路基板、回路基板に設置されるカメラセンサ、および回路基板に電気的に接続される環境光センサを備えてもよい。レンズホルダは光透過通路を限定し、カメラセンサは光透過通路を介してレンズに対応して設置される。環境光センサはカメラセンサまたはレンズホルダに設置される。環境光は、レンズと光透過通路を透過し、さらにカメラセンサと環境光センサに入射する。
【００１９】
いくつかの実施形態では、環境光センサは、カメラセンサの光透過通路の方を向く表面に取り付けられてもよい。
【００２０】
いくつかの実施形態では、挿入孔は、カメラセンサの光透過通路を向く一方の側に限定されてもよく、環境光センサは、挿入孔に埋め込まれてもよい。
【００２１】
いくつかの実施形態では、カメラセンサは、配線層と、配線層に配列される複数のフォトダイオードとを備え、挿入孔は、配線層内に限定され、複数のフォトダイオードによって囲まれてもよい。
【００２２】
いくつかの実施形態では、カメラセンサは、配線層と、配線層に配列される複数のフォトダイオードとを備えてもよい。配線層に設置され、光透過通路と位置合わせされる複数のフォトダイオードの１つは、環境光センサであってもよい。
【００２３】
いくつかの実施形態では、環境光センサは、カメラセンサのレンズを向く表面に設置されてもよい。
【００２４】
いくつかの実施形態では、環境光センサの中心は、レンズの軸と位置合わせされてもよい。
【００２５】
いくつかの実施形態では、レンズホルダは、光透過通路を形成する内壁を備えてもよい。レンズに隣接する内壁の一端に面取りを形成してもよく、環境光センサを面取りに取り付けてもよい。
【００２６】
レンズホルダは、光透過通路を形成する内壁を備えてもよい。階段部は光透過通路内にレンズに隣接する内壁の一端において形成され、赤外線フィルタは階段部に設置されてもよい。
【００２７】
いくつかの実施形態では、受容孔はさらに、階段部分内にカメラセンサから離れる一方の側において限定されてもよい。環境光センサは、受容孔に受容されてもよく、環境光は、環境光センサに入射する。
【００２８】
いくつかの実施形態では、貫通スロットがレンズホルダに限定されてもよい。ワイヤが貫通スロットを貫通して延び、さらに環境光センサおよび回路基板に電気的に接続されてもよい。
【００２９】
いくつかの実施形態では、レンズホルダの回路基板を向く一方の側に受容空間が限定されてもよい。光透過通路は、レンズホルダを貫通して延在し、受容空間とさらに連通してもよい。
【００３０】
いくつかの実施形態では、カメラアセンブリは、レンズホルダに設置される赤外線フィルタをさらに供えでもよい。環境光は、赤外線フィルタを透過して、さらにカメラセンサおよび環境光センサに入射してもよい。
【００３１】
いくつかの実施形態では、環境光センサは、フォトダイオードまたはフォトレジスタである。
【００３２】
いくつかの実施形態では、カメラセンサおよび環境光センサは、Ｉ２Ｃバスを共有する。
【００３３】
別の態様では、カメラアセンブリがさらに提供されてもよい。カメラアセンブリは、レンズホルダ、レンズホルダ内に設置されるレンズ、回路基板、回路基板に設置されるカメラセンサ、および回路基板に電気的に接続される環境光センサを備えてもよい。レンズホルダは光透過通路を限定する。レンズの軸は、光透過通路の中心線と一致し、さらにカメラセンサの中心と位置合わせされもよい。環境光センサはカメラセンサまたはレンズホルダに設置される。環境光はレンズと光透過通路を透過し、さらにカメラセンサと環境光センサに入射する。
【００３４】
いくつかの実施形態では、カメラセンサは、配線層と、配線層に配列される複数のフォトダイオードとを備えてもよい。挿入孔は、配線層上の複数のフォトダイオードによって囲まれ、環境光センサは、挿入孔に埋め込まれてもよい。あるいは、配線層に設置され、光透過通路と位置合わせされる複数のフォトダイオードのうちの１つは、環境光センサであってもよい。
【００３５】
いくつかの実施形態では、レンズホルダは、光透過通路を形成する内壁を備えてもよい。レンズに隣接する内壁の一端に面取りを形成してもよく、環境光センサを面取りに取り付けでもよい。或いは、階段部は、光透過通路内にレンズに隣接する内壁の一端において形成されてもよく、受容孔はさらに、階段部内にカメラセンサから離れる一方の側において限定されてもよく、および環境光センサは、受容孔に受容されてもよい。
【００３６】
いくつかの実施形態では、カメラアセンブリは、レンズホルダに設置される赤外線フィルタをさらに備えてもよい。赤外線フィルタは、階段部に設置され、レンズに取り付けられてもよい。
【００３７】
さらなる態様では、電子装置も提供されてもよい。電子装置は、ハウジングと、ハウジング内に設置されるカメラアセンブリとを備えてもよい。カメラアセンブリ用の開口部は、ハウジング内に限定される。レンズホルダ、レンズホルダに設置され、開口部と位置合わせされるレンズ、回路基板、回路基板に設置されるカメラセンサ、および回路基板に電気的に接続される環境光センサを備えてもよい。レンズホルダは、光透過通路を限定する。環境光センサは、カメラセンサまたはレンズホルダに設置される。環境光は、レンズと光透過通路を透過し、さらにカメラセンサと環境光センサに入射する。
【００３８】
いくつかの実施形態では、カメラセンサは、配線層と、配線層に配列される複数のフォトダイオードとを備えてもよい。複数のフォトダイオードは、配線層において挿入孔を囲んでもよく、環境光センサは、挿入孔に埋め込まれてもよい。あるいは、配線層に設置され、光透過通路と位置合わせされる複数のフォトダイオードのうちの１つは、環境光センサであってもよい。
【００３９】
いくつかの実施形態では、レンズホルダは、光透過通路を形成する内壁を備えてもよい。レンズに隣接する内壁の一端に面取りを形成することができ、環境光センサは、面取りに取り付けられてもよい。あるいは、階段部は光透過通路内にレンズに隣接する内壁の一端において形成されてもよく、受容孔はさらに、階段部内にカメラセンサから離れる一方の側に限定されてもよい。そして環境光センサは、受容孔に受容されてもよい。
【００４０】
図１は、本開示の第１の実施形態によるカメラアセンブリの概略構造図であり、図２は、図１に示されるカメラセンサの部分的透視構造図である。カメラアセンブリ１０は、レンズホルダ１２、レンズホルダ１２内に設置されるレンズ１４、回路基板１５、回路基板１５に設置されるカメラセンサ１６、および回路基板１５に電気的に接続される環境光センサ１７を備えてもよい。レンズホルダ１２は、光透過通路１２１をさらに限定してもよい。カメラセンサ１６は、光透過通路１２１を介してレンズ１４に対応して設置されてもよい。つまり、光透過通路１２１内のカメラセンサ１６の投影は、光透過通路１２１内のレンズ１４の投影と部分的に重なっている。環境光センサ１７は、カメラセンサ１６の内側に設置してもよく、環境光は、レンズ１４および光透過通路１２１を透過し、さらにカメラセンサ１６および環境光センサ１７に入射してもよい。
【００４１】
本開示のカメラアセンブリ１０は、表示画面を有する任意の電子装置に取り付けられてもよい。すなわち、カメラアセンブリ１０は、スマートフォン、タブレットコンピュータ、ノートブックコンピュータ、車載デバイス、ネットワークテレビ、ウェアラブルデバイスなどのスマートデバイスにインストールされてもよい。いくつかの実施形態では、カメラアセンブリ１０は、スマートフォンで使用されてもよい。環境光センサ１７は、スマートフォンの周囲の光を感知し、信号をスマートフォンのプロセッサに送信してもよい。プロセッサは、信号を受信し、スマートフォンの表示画面のバックライト輝度を制御してもよい。このようにして、電子装置の電力消費を低減することが可能であり、表示画面は、柔らかに画面を表示することができる。
【００４２】
カメラセンサ１６は、ＣＭＯＳセンサであってもよい。いくつかの実施形態では、カメラセンサ１６は、裏面照射型ＣＭＯＳセンサであってもよい。カメラセンサ１６は、４００〜７００ｎｍの波長の光を検出してもよい。
【００４３】
環境光センサ１７は、フォトトランジスタ、フォトレジスタンス、またはフォトダイオードであってもよく。いくつかの実施形態では、環境光センサ１７は、フォトダイオードであり、４００〜７００ｎｍの波長の光を検出することができる。
【００４４】
本開示のいくつかの実施形態では、環境光センサ１７は、カメラアセンブリ１０のカメラセンサ１６に設置されてもよく、環境光は、レンズ１４および光透過通路１２１を透過し、さらに環境光センサ１７に入射してもよい。このようにして、環境光センサ１７は、環境光を感知して信号をプロセッサに送信してもよい。プロセッサはさらに信号を受信し、表示画面のバックライト輝度を調整してもよい。環境光センサ１７は、カメラセンサ１６に設置されるので、カメラアセンブリ１０を有する電子装置のハウジングに、カメラアセンブリ用の１つの開口部のみを限定する必要がある。この場合、カメラセンサ１６および環境光センサ１７は、開口部を介して光を感知してもよい。すなわち、環境光センサ１７のために、電子装置のハウジングにさらなる開口部を限定する必要はない。電子装置の完全性が向上し、環境光センサが電子装置の前面を占有しなくなったほか、電子装置のスクリーン対ボディ比を上げるのにも役立つ。
【００４５】
レンズホルダ１２は、ゴム、プラスチックなどの材料で作られてもよい。受容空間１２３は、レンズホルダ１２の回路基板１５を向く一方の側に限定されてもよい。光透過通路１２１は、カメラセンサ１６に基本的に垂直な方向に沿ってレンズホルダ１２の中央に限定されてもよい。光透過通路１２１は、受容空間１２３を貫通して延在してもよく、さらに、レンズホルダ１２のカメラホルダ１６から離れる表面まで延在してもよい。すなわち、光透過通路１２１は、レンズホルダ１２を貫通して延在し、さらに、受容空間と連通してもよい。レンズ１４は、レンズホルダ１２のカメラセンサ１６から離れる一方の側に設置されてもよい。すなわち、カメラセンサ１６は、レンズホルダ１２の底部側に設置されて、レンズ１４は、レンズホルダ１２の頂部側に設置されてもよい。レンズ１４の軸線Ｌは、光透過通路１２１の中心線と基本的に一致し、カメラセンサ１６の中心と位置合わせされてもよい。いくつかの実施形態では、レンズホルダ１２の底部側は、カメラアセンブリの開口部から離れる側を指し、レンズホルダ１２の頂部側は、カメラアセンブリの開口部を向く側を指してもよい。
【００４６】
カメラアセンブリ１０は、レンズホルダ１２に設置される赤外線フィルタ１８をさらに備えてもよい。環境光は、レンズ１４、光透過通路１２１、および赤外線フィルタ１８を透過し、さらにカメラセンサ16と環境光センサ17に入射してもよい。
【００４７】
本実施形態において、赤外線フィルタ１８は、レンズホルダ１２の受容空間１２３の頂部側に設置されてもよい。すなわち、赤外線フィルタ１８は、受容空間１２３のカメラセンサ１６を向く側面に設置されてもよい。赤外線フィルタ１８およびレンズ１４は、光透過通路１２１の対向する２つの側面を覆ってもよい。カメラセンサ１６は、赤外線センサ１８から離間してもよい。
【００４８】
環境光センサ１７は、カメラセンサ１６の内側に埋め込まれてもよい。環境光センサ１７は、カメラセンサ１６の光透過通路１２１を向く表面に取り付けられてもよい。すなわち、環境光センサ１７は、カメラセンサ１６のレンズ１４を向く表面に取り付けられてもよい。挿入孔１６２は、カメラセンサ１６の光透過通路１２１を向く一方の側に限定されてもよい。センサ１７は、挿入孔１６２に埋め込まれてもよい。いくつかの実施形態では、挿入孔１６２は、カメラセンサ１６の光透過通路１２１を向く表面の中央に限定されてもよい。挿入孔１６２は、レンズ１４の軸線Ｌと位置あわせされてもよい。
【００４９】
他の実施形態では、挿入孔１６２が光透過通路１２１に対応する限り、挿入孔１６２の中心軸は、レンズ１４の軸線Ｌからオフセットされてもよく、これは、軸線Ｌに基本的に垂直な平面上への環境光センサー１７の投影が光透過通路１２１内に位置することを意味する。
【００５０】
カメラアセンブリ１０は、レンズカバー１９をさらに備え、レンズカバー１９は、レンズホルダ１２を覆い、ほこりまたは不純物がレンズ１４に入ることを防ぐように構成されてもよい。レンズ１４に対応する光入射孔１９１は、レンズカバー１９の中央に限定されてもよい。環境光は、光入射孔１９１からレンズ１４に入射してもよい。いくつかの実施形態において、レンズカバー１９は、透明材料から作製されてもよい。
【００５１】
図２に示すように、カメラセンサ１６は、配線層１６３と、配線層１６３に配列される複数のフォトダイオード１６５とをさらに備えてもよい。挿入孔１６２は、環境光センサ１７を受け入れるように構成されてもよい。すなわち、環境光センサ１７に対応する配線層１６３上の位置には、フォトダイオード１６５は設置されない。環境光センサ１７は、挿入孔１６２に受容されてもよい。
【００５２】
この実施形態では、カメラセンサ１６および環境光センサ１７は、Ｉ２Ｃバスを共有してもよい。
【００５３】
カメラアセンブリ１０を使用するとき、カメラアセンブリ１０は、最初に電子装置のハウジングに取り付けられ、カメラアセンブリ１０のレンズに対応する孔がハウジングに限定されてもよい。カメラセンサ１６は、光学的画像を電気信号に変換することが可能である。電気信号は、アナログによってデジタル信号にさらに変換してもよい。デジタル信号はDSPでさらに処理され、電子装置のプロセッサに送信されて処理される。これにより、デジタル信号は、電子装置の表示画面で確認できる画像に変換される。環境光センサ１７は、カメラアセンブリの開口部、レンズ１４、および光透過通路１２１を透過した環境光を感知し、さらに信号をプロセッサに送信してもよい。プロセッサは、信号を受信し、電子装置の表示画面のバックライト輝度を調整してもよい。
【００５４】
環境光センサ１７はカメラセンサ１６に設置されているので、カメラアセンブリ１０を有する電子装置のハウジングにカメラアセンブリ用の１つの開口部のみを限定する必要があり、環境光センサのための別の開口部を限定する必要はない。このようにして、電子装置のハウジングは、より優れた一体性を有し、環境光センサの開口部を限定するための製造コストを節約することが可能である。さらに、環境光センサは、また、電子装置のハウジングの内部空間を占有しないので、ハウジング内において電子部品の設置を容易にする。さらに、電子装置のスクリーン対ボディ比に有利である。
【００５５】
図３は、本開示の第２の実施形態によるカメラセンサの部分的透視構造図である。図３に示すように、第２の実施形態において、第１の実施形態での配線層１６３に設置され、光透過通路１２１と位置合わせされた複数のフォトダイオードのうちの１つが、環境光センサ１７ａとして設定されてもよいこと以外、本開示の第２の実施形態におけるカメラセンサの構造は、第１の実施形態におけるカメラセンサの構造と同様である。すなわち、カメラセンサ１６ａの設計および製造中に、カメラセンサ１６の複数のフォトダイオードのうちの１つが環境光センサとして設定されてもよい。カメラアセンブリを使用する場合、環境光はレンズ１４、光透過通路１２１、および赤外線フィルタ１８を透過し、さらにカメラセンサ１６に入射する。複数のフォトダイオードのうちの１つは、環境光を感知することが可能である。光センサ１７ａは、環境光を感知し、さらに信号を電子装置のプロセッサに送信することが可能である。プロセスは、さらに信号を受信し、表示画面のバックライト輝度を調整してもよい。カメラセンサ１６上の他のフォトダイオードは、撮影のために構成されてもよい。
【００５６】
図４は、本開示の第３の実施形態によるカメラアセンブリの概略構造図である。図４に示すように、第３の実施形態において、カメラアセンブリ１０ａの環境光センサ１７は、カメラセンサ１６の光透過通路１２１またはレンズ１４を向く表面に設置されてもよいこと以外、本開示の第３の実施形態におけるカメラアセンブリの構造は、第１の実施形態のカメラアセンブリの構造と同様である。環境光センサ１７の中心は、レンズ１４の軸線Ｌと位置合わせされてもよい。環境光センサ１７は、回路基板１５に電気的に接続されてもよい。
【００５７】
図５は、本開示の第４の実施形態によるカメラアセンブリの概略構造図である。図５に示すように、第４の実施形態において、環境光センサ１７が光透過通路１２１に対応する、つまり軸Ｌに基本的に垂直な平面上の環境光センサ１７の投影が光透過通路121内に位置する限り、カメラアセンブリ１０ｂの環境光センサ１７は、カメラセンサ１６の光透過通路１２１を向く表面に設置されるが、レンズ１４の軸Ｌからオフセットされてもよいこと以外、本開示の第４の実施形態におけるカメラアセンブリの構造は、第３の実施形態におけるカメラアセンブリと同様である。
【００５８】
図６は、本開示の第５の実施形態によるカメラアセンブリの概略構造図である。図６に示すように、第５の実施形態において、光透過通路１２１に隣接する受容孔１２４がカメラアセンブリ１０ｃのレンズホルダ１２にさらに限定されてもよいこと以外、本開示の第５の実施形態におけるカメラアセンブリの構造は、第１の実施形態のカメラアセンブリと同様である。環境光センサ１７は、受容孔１２４に受容されてもよい。環境光は、レンズ１４を透過し、さらに環境光センサ１７に入射してもよい。さらに、レンズホルダ１２のカメラセンサ１６から離れる側面の中央部に、取付スペース１２５を設けてもよい。取り付け空間１２５は、光透過通路１２１と連通してもよく、レンズ１４は、取り付け空間１２５内に受容されてもよい。階段部１２６は、レンズホルダ１２の光透過通路１２内、かつ取り付けスペース１２５と受け入れスペース１２３との間に形成されてもよい。
【００５９】
より具体的には、レンズホルダ１２は、光透過通路１２１を形成する内壁１２１ａを備えてもよい。階段部１２６は、レンズホルダ１２の光透過通路１２内に、レンズ１４に隣接する内壁１２１ａの一端において形成されてもよい。この実施形態では、受容孔１２４は、階段部１２６のカメラセンサ１６から離れる側に限定されてもよい。受容孔１２４は、光透過通路１２１に隣接して設置されてもよい。すなわち、環境光センサ１７は、受容孔１２４に受容されてもよい。すなわち、環境光センサ１７は、階段部１２６に設置されてもよい。
【００６０】
赤外線フィルタ１８は、階段部１２６にさらに設置され、レンズ１４に取り付けられてもよい。赤外線フィルタ１８は、環境光センサ１７を覆い、レンズ１４は、赤外線フィルタ１８に設置されてもよい。
【００６１】
他の実施形態では、環境光がレンズ１４および赤外線フィルタ１８を透過し、さらに受容孔１２４に受容される環境光センサ１７に入射することが可能である限り、受容孔１２４は、階段部１２６のカメラセンサ１６から離れる一方の側に限定され、さらに光透過通路１２１から離れて設置されてもよい。
【００６２】
貫通スロット１２７は、レンズスロット１２に形成されてもよく、貫通スロット１２７は、受容孔１２４および受容空間１２３と連通してもよい。環境光センサ１７は、貫通スロット127を通るワイヤを介し、回路基板１５に電気的に接続してもよい。
【００６３】
カメラアセンブリを使用する場合、カメラアセンブリ１０ｃは電子装置に取り付けられる。環境光は、カメラアセンブリの開口部、レンズ１４、および赤外線フィルタ１８を透過し、さらに環境光センサ１７に入射してもよい。環境光センサ１７は、環境光を感知し、さらに信号を電子装置のプロセッサに送信することが可能である。プロセスは、信号をさらに受信して、電子装置の表示画面のバックライト輝度を制御してもよい。このようにして、電子装置の消費電力を低減することが可能であり、表示画面は柔らかに画像を表示することができる。
【００６４】
本開示のカメラアセンブリ１０ｃの環境光センサ１７は、レンズホルダ１２の階段部分１２６に設置されるので、環境光センサ１７は、カメラアセンブリ１０ｃの外部の環境光を感知するのに便利である。さらに、環境光センサ１７はカメラセンサ１６を遮ることはなく、カメラアセンブリ１０ｃでの撮影を容易にする。
【００６５】
図７は、本開示の第６の実施形態によるカメラアセンブリの概略構造図である。図７に示すように、第６の実施形態では、カメラアセンブリ１０ｄのレンズホルダ１２において、レンズ１４に隣接する内壁１２１ａの一端に面取り１２８を形成してもよいこと以外、本開示の第６の実施形態におけるカメラアセンブリの構造は、第５の実施形態のカメラアセンブリと同様である。環境光センサ１７は、面取り１２８の表面に取り付けられてもよい。すなわち、面取り１２８は、階段部１２６のレンズ１４を向く側面と光透過通路１２１の内壁１２１ａとの間の接合部に形成されてもよい。環境光センサ１７は、面取り１２８の表面に取り付けられてもよい。貫通スロット１２７は、レンズホルダ１２に限定されてもよい。この場合、貫通スロット１２７は、受容空間１２３と連通してもよく、さらに面取り１２８の表面に延在する。環境光センサ１７は、貫通スロット１２７を通るワイヤを介して回路基板１５に電気的に接続してもよい。
【００６６】
カメラアセンブリ１０を使用する場合、カメラアセンブリ１０ｄは電子装置に取り付けられる。環境光は、カメラアセンブリ用の開口部、レンズ１４、および赤外線フィルタ１８を透過し、さらに環境光センサ１７に入射してもよい。環境光センサ１７は、環境光を感知し、さらに信号を電子装置のプロセッサに送信してもよい。プロセスはさらに信号を受信し、電子装置の表示画面のバックライト輝度を制御してもよい。これにより、電子装置の消費電力を低減することが可能であり、表示画面は柔らかに画像を表示することができる。
【００６７】
本開示のカメラアセンブリ１０ｄの環境光センサ１７は、レンズホルダ１２の階段部１２６の面取り１２８に設置されるので、環境光センサ１７は、カメラアセンブリ１０ｃの外部の環境光をより多く感知できる。また、環境光センサ１７は、カメラセンサ１６を遮ることはなく、カメラアセンブリ１０ｃでの撮影を容易にする。
【００６８】
他の実施形態では、階段部１２６のレンズ１４を向く側面と光透過通路１２１の内壁１２１ａとの間の接合部にノッチを限定してもよい。環境光センサ１７は、ノッチに受容されてもよい。環境光は、カメラアセンブリの開口部、レンズ１４、および赤外線フィルタ１８を透過し、さらに環境光センサ１７に入射してもよい。
【００６９】
図８は、本開示の第７の実施形態による電子装置の概略構成図である。図８に示すように、電子装置１００は、ハウジング３０と、ハウジング３０の前面に設置されるスクリーン４０と、ハウジング３０内に設置されるメインボード５０、および上記のいずれかの実施形態で記載したカメラアセンブリ１０を備えてもよい。カメラの開口部３０２は、ハウジング３０の前面の表示画面４０の上頂部に限定されてもよい。カメラアセンブリ１０は、ハウジング３０に取り付けられてもよい。カメラアセンブリ１０のレンズは、開口部３０２と位置合わせされてもよい。カメラアセンブリ１０の回路基板は、メインボード５０に電気的に接続されてもよい。
【００７０】
この実施形態では、電子装置１００はスマートフォンであってもよく、カメラコンポーネント１０はスマートフォンのフロントカメラであってもよい。
【００７１】
電子装置１００を使用する場合、電子装置１００の周囲の環境光は、開口部３０２、レンズ、赤外線フィルタ、および光透過通路を透過し、さらに環境光センサに入射することが可能である。環境光センサは、環境光を感知し、さらに信号をメインボード50上のプロセッサに送信してもよい。プロセッサは、信号を受信して、表示画面40のバックライト輝度を調整してもよい。このようにして、電子装置１００の消費電力を削減することが可能であり、表示画面４０は、柔らかに画像を表示することができる。
【００７２】
電子装置１００を使用して写真を撮る必要があるとき、撮影されるべき物体の光学的画像は、カメラアセンブリ１０のレンズを介してカメラセンサに投影されてもよい。カメラセンサは、光学的画像を電気信号に変換してもよい。さらに、電気信号は、アナログ・デジタル変換によってデジタル信号に変換されてもよい。デジタル信号は、ＤＳＰによってさらに処理され、メインボード５０上のプロセッサに送信され、処理されてもよく、これにより、デジタル信号を、電子装置１００の表示画面上で見ることができる画像に変換することが可能である。
【００７３】
ハウジング３０の前面はカメラのための開口部３０２のみを限定し、環境光センサはカメラアセンブリ１０に集積されるので、ハウジング３０がより良好な一体性を有し、環境光センサのための開口部を限定するコストが節約されることが可能である。さらに、環境光センサは、電子装置のハウジング３０の内部空間を占有せず、ハウジング内の電子部品の設置を容易にする。さらに、電子装置１００のスクリーン対ボディ比を向上することも可能になる。
【００７４】
他の実施形態では、カメラアセンブリ１０ａ、１０ｂ、１０ｃまたは１０ｄは、ハウジング３０に取り付けられてもよい。
【００７５】
以上は、本開示の実施形態であるが、当業者は、本開示の原理から逸脱することなく、いくつかの改善および変更を行うこともできることに留意されたい。これらはすべて、本開示の保護範囲内に含まれるものとする。
【図１】
2021516510.tif 000003
【図２】
2021516510.tif 000004
【図３】
2021516510.tif 000005
【図４】
2021516510.tif 000006
【図５】
2021516510.tif 000007
【図６】
2021516510.tif 000008
【図７】
2021516510.tif 000009
【図８】
2021516510.tif 000010
【手続補正書】
【提出日】令和2年9月17日(2020.9.17)
【手続補正１】
【補正対象書類名】明細書
【補正対象項目名】全文
【補正方法】変更
【補正の内容】
【発明の詳細な説明】
【技術分野】
【０００１】
本開示は、電子装置に関し、特に、カメラアセンブリ、およびカメラアセンブリを備える電子装置に関する。
【背景技術】
【０００２】
技術の発展に伴い、スマートフォン、タブレットコンピュータなどのような携帯型電子装置がますます広く使用されている。現在、スマートフォンまたはタブレットコンピュータ正面には、カメラアセンブリ用の第１の開口部と環境光センサ用の第２の開口部とが一般に設けてられている。このように、スマートフォンまたはタブレットコンピュータのスクリーン対ボディ比が低下するので、ユーザーエクスペリエンスも低下する。
【発明の概要】
【０００３】
本開示は、カメラアセンブリを提供する。カメラアセンブリは、レンズホルダ、レンズホルダに設置されるレンズ、回路基板、回路基板に設置されるカメラセンサ、および回路基板に電気的に接続される環境光センサを備えてもよい。レンズホルダは光透過通路を限定し、カメラセンサは光透過通路を介してレンズに対応して設置される。環境光センサはカメラセンサまたはレンズホルダに設置される。環境光はレンズと光透過通路を透過し、さらにカメラセンサと環境光センサに入射する。
【０００４】
別の態様では、カメラアセンブリがさらに提供されてもよい。カメラアセンブリは、レンズホルダ、レンズホルダ内に設置されるレンズ、回路基板、回路基板に設置されるカメラセンサ、および回路基板に電気的に接続される環境光センサを備えてもよい。レンズホルダは光透過通路を限定する。レンズの軸は、光透過通路の中心線と一致し、さらにカメラセンサの中心と位置合わせされる。環境光センサはカメラセンサまたはレンズホルダに設置される。環境光はレンズと光透過通路を透過し、さらにカメラセンサと環境光センサに入射する。
【０００５】
さらなる態様では、電子装置も提供されてもよい。電子装置は、ハウジングと、ハウジング内に設置されるカメラアセンブリとを備えてもよい。カメラアセンブリ用の開口部は、ハウジング内に限定される。カメラアセンブリは、レンズホルダ、レンズホルダに設置され開口部と位置合わせされるレンズ、回路基板、回路基板に設置されるカメラセンサ、および回路基板に電気的に接続される環境光センサを備えてもよい。レンズホルダは、光透過通路を限定するが、カメラセンサは、光透過通路を介してレンズに対応して設置される。環境光は、レンズおよび光透過通路を透過して、さらに、カメラセンサおよび環境光センサに入射する。
【図面の簡単な説明】
【０００６】
本開示の実施形態における技術案をより明確に説明するために、以下は、実施形態を説明することに必要な添付の図面を簡単に紹介する。明らかに、以下の説明における添付の図面は、本開示のいくつかの実施形態にすぎない。当業者にとって、他の図面は創造的な努力なしにこれらの図面に基づいて得ることができる。
【０００７】
【図１】図１は、本開示の第１の実施形態によるカメラアセンブリの概略構造図である。
【０００８】
【図２】図２は、図１に示すカメラセンサの部分的透視構成図である。
【０００９】
【図３】図３は、本開示の第２の実施形態によるカメラセンサの部分的透視構造図である。
【００１０】
【図４】図４は、本開示の第３の実施形態によるカメラアセンブリの概略構造図である。
【００１１】
【図５】図５は、本開示の第４の実施形態によるカメラアセンブリの概略構造図である。
【００１２】
【図６】図６は、本開示の第５の実施形態によるカメラアセンブリの概略構造図である。
【００１３】
【図７】図７は、本開示の第６の実施形態によるカメラアセンブリの概略構造図である。
【００１４】
【図８】図８は、本開示の第７の実施形態に係る電子装置の概略構成図である。
【発明を実施するための形態】
【００１５】
本開示の実施形態における技術案は、本例示的開示の実施形態における添付の図面を参照して、以下に明確かつ完全に詳細に説明されるであろう。本開示に記載の実施形態に基づいて、当業者は創造的な努力なしに他のすべての実施形態を獲得することができ、これらすべては本開示の保護範囲内に含まれるものとする。
【００１６】
本開示の実施形態の説明では、「上」、「下」、「左」、「右」などの用語によって示される方向または位置関係は、図面に示されている方向または位置関係に基づいており、デバイスまたはコンポーネントが必ず特定の方向を持つ、または構築および操作されなければならないことを示唆または示すのではなく、単に説明の便宜と説明の簡略化のためであり、したがって、これらの用語は、本開示を限定するものとして解釈されるべきではないことを理解されたい。
【００１７】
なお、本開示の実施形態の説明において、「厚み」等によって示される方向や位置関係は、図示の方向や位置関係に基づいており、デバイスまたはコンポーネントが特定の方向を持つ、または特定の方向で構築および操作されなければならないことを示唆または示すのではなく、単に説明の便宜および説明の簡略化のためであり、したがってこれらの用語は本開示を限定するものとして解釈されるべきではないことを7理解されたい。
【００１８】
一態様では、本開示は、カメラアセンブリを提供する。カメラアセンブリは、レンズホルダ、レンズホルダに設置されるレンズ、回路基板、回路基板に設置されるカメラセンサ、および回路基板に電気的に接続される環境光センサを備えてもよい。レンズホルダは光透過通路を限定し、カメラセンサは光透過通路を介してレンズに対応して設置される。環境光センサはカメラセンサまたはレンズホルダに設置される。環境光は、レンズと光透過通路を透過し、さらにカメラセンサと環境光センサに入射する。
【００１９】
いくつかの実施形態では、環境光センサは、カメラセンサの光透過通路の方を向く表面に取り付けられてもよい。
【００２０】
いくつかの実施形態では、挿入孔は、カメラセンサの光透過通路を向く一方の側に限定されてもよく、環境光センサは、挿入孔に埋め込まれてもよい。
【００２１】
いくつかの実施形態では、カメラセンサは、配線層と、配線層に配列される複数のフォトダイオードとを備え、挿入孔は、配線層内に限定され、複数のフォトダイオードによって囲まれてもよい。
【００２２】
いくつかの実施形態では、カメラセンサは、配線層と、配線層に配列される複数のフォトダイオードとを備えてもよい。配線層に設置され、光透過通路と位置合わせされる複数のフォトダイオードの１つは、環境光センサであってもよい。
【００２３】
いくつかの実施形態では、環境光センサは、カメラセンサのレンズを向く表面に設置されてもよい。
【００２４】
いくつかの実施形態では、環境光センサの中心は、レンズの軸と位置合わせされてもよい。
【００２５】
いくつかの実施形態では、レンズホルダは、光透過通路を形成する内壁を備えてもよい。レンズに隣接する内壁の一端に面取りを形成してもよく、環境光センサを面取りに取り付けてもよい。
【００２６】
レンズホルダは、光透過通路を形成する内壁を備えてもよい。階段部は光透過通路内にレンズに隣接する内壁の一端において形成され、赤外線フィルタは階段部に設置されてもよい。
【００２７】
いくつかの実施形態では、受容孔はさらに、階段部分内にカメラセンサから離れる一方の側において限定されてもよい。環境光センサは、受容孔に受容されてもよく、環境光は、環境光センサに入射する。
【００２８】
いくつかの実施形態では、貫通スロットがレンズホルダに限定されてもよい。ワイヤが貫通スロットを貫通して延び、さらに環境光センサおよび回路基板に電気的に接続されてもよい。
【００２９】
いくつかの実施形態では、レンズホルダの回路基板を向く一方の側に受容空間が限定されてもよい。光透過通路は、レンズホルダを貫通して延在し、受容空間とさらに連通してもよい。
【００３０】
いくつかの実施形態では、カメラアセンブリは、レンズホルダに設置される赤外線フィルタをさらに供えでもよい。環境光は、赤外線フィルタを透過して、さらにカメラセンサおよび環境光センサに入射してもよい。
【００３１】
いくつかの実施形態では、環境光センサは、フォトダイオードまたはフォトレジスタである。
【００３２】
いくつかの実施形態では、カメラセンサおよび環境光センサは、Ｉ２Ｃバスを共有する。
【００３３】
別の態様では、カメラアセンブリがさらに提供されてもよい。カメラアセンブリは、レンズホルダ、レンズホルダ内に設置されるレンズ、回路基板、回路基板に設置されるカメラセンサ、および回路基板に電気的に接続される環境光センサを備えてもよい。レンズホルダは光透過通路を限定する。レンズの軸は、光透過通路の中心線と一致し、さらにカメラセンサの中心と位置合わせされもよい。環境光センサはカメラセンサまたはレンズホルダに設置される。環境光はレンズと光透過通路を透過し、さらにカメラセンサと環境光センサに入射する。
【００３４】
いくつかの実施形態では、カメラセンサは、配線層と、配線層に配列される複数のフォトダイオードとを備えてもよい。挿入孔は、配線層上の複数のフォトダイオードによって囲まれ、環境光センサは、挿入孔に埋め込まれてもよい。あるいは、配線層に設置され、光透過通路と位置合わせされる複数のフォトダイオードのうちの１つは、環境光センサであってもよい。
【００３５】
いくつかの実施形態では、レンズホルダは、光透過通路を形成する内壁を備えてもよい。レンズに隣接する内壁の一端に面取りを形成してもよく、環境光センサを面取りに取り付けでもよい。或いは、階段部は、光透過通路内にレンズに隣接する内壁の一端において形成されてもよく、受容孔はさらに、階段部内にカメラセンサから離れる一方の側において限定されてもよく、および環境光センサは、受容孔に受容されてもよい。
【００３６】
いくつかの実施形態では、カメラアセンブリは、レンズホルダに設置される赤外線フィルタをさらに備えてもよい。赤外線フィルタは、階段部に設置され、レンズに取り付けられてもよい。
【００３７】
さらなる態様では、電子装置も提供されてもよい。電子装置は、ハウジングと、ハウジング内に設置されるカメラアセンブリとを備えてもよい。カメラアセンブリ用の開口部は、ハウジング内に限定される。レンズホルダ、レンズホルダに設置され、開口部と位置合わせされるレンズ、回路基板、回路基板に設置されるカメラセンサ、および回路基板に電気的に接続される環境光センサを備えてもよい。レンズホルダは、光透過通路を限定する。環境光センサは、カメラセンサまたはレンズホルダに設置される。環境光は、レンズと光透過通路を透過し、さらにカメラセンサと環境光センサに入射する。
【００３８】
いくつかの実施形態では、カメラセンサは、配線層と、配線層に配列される複数のフォトダイオードとを備えてもよい。複数のフォトダイオードは、配線層において挿入孔を囲んでもよく、環境光センサは、挿入孔に埋め込まれてもよい。あるいは、配線層に設置され、光透過通路と位置合わせされる複数のフォトダイオードのうちの１つは、環境光センサであってもよい。
【００３９】
いくつかの実施形態では、レンズホルダは、光透過通路を形成する内壁を備えてもよい。レンズに隣接する内壁の一端に面取りを形成することができ、環境光センサは、面取りに取り付けられてもよい。あるいは、階段部は光透過通路内にレンズに隣接する内壁の一端において形成されてもよく、受容孔はさらに、階段部内にカメラセンサから離れる一方の側に限定されてもよい。そして環境光センサは、受容孔に受容されてもよい。
【００４０】
図１は、本開示の第１の実施形態によるカメラアセンブリの概略構造図であり、図２は、図１に示されるカメラセンサの部分的透視構造図である。カメラアセンブリ１０は、レンズホルダ１２、レンズホルダ１２内に設置されるレンズ１４、回路基板１５、回路基板１５に設置されるカメラセンサ１６、および回路基板１５に電気的に接続される環境光センサ１７を備えてもよい。レンズホルダ１２は、光透過通路１２１をさらに限定してもよい。カメラセンサ１６は、光透過通路１２１を介してレンズ１４に対応して設置されてもよい。つまり、光透過通路１２１内のカメラセンサ１６の投影は、光透過通路１２１内のレンズ１４の投影と部分的に重なっている。環境光センサ１７は、カメラセンサ１６の内側に設置してもよく、環境光は、レンズ１４および光透過通路１２１を透過し、さらにカメラセンサ１６および環境光センサ１７に入射してもよい。
【００４１】
本開示のカメラアセンブリ１０は、表示画面を有する任意の電子装置に取り付けられてもよい。すなわち、カメラアセンブリ１０は、スマートフォン、タブレットコンピュータ、ノートブックコンピュータ、車載デバイス、ネットワークテレビ、ウェアラブルデバイスなどのスマートデバイスにインストールされてもよい。いくつかの実施形態では、カメラアセンブリ１０は、スマートフォンで使用されてもよい。環境光センサ１７は、スマートフォンの周囲の光を感知し、信号をスマートフォンのプロセッサに送信してもよい。プロセッサは、信号を受信し、スマートフォンの表示画面のバックライト輝度を制御してもよい。このようにして、電子装置の電力消費を低減することが可能であり、表示画面は、柔らかに画面を表示することができる。
【００４２】
カメラセンサ１６は、ＣＭＯＳセンサであってもよい。いくつかの実施形態では、カメラセンサ１６は、裏面照射型ＣＭＯＳセンサであってもよい。カメラセンサ１６は、４００〜７００ｎｍの波長の光を検出してもよい。
【００４３】
環境光センサ１７は、フォトトランジスタ、フォトレジスタンス、またはフォトダイオードであってもよく。いくつかの実施形態では、環境光センサ１７は、フォトダイオードであり、４００〜７００ｎｍの波長の光を検出することができる。
【００４４】
本開示のいくつかの実施形態では、環境光センサ１７は、カメラアセンブリ１０のカメラセンサ１６に設置されてもよく、環境光は、レンズ１４および光透過通路１２１を透過し、さらに環境光センサ１７に入射してもよい。このようにして、環境光センサ１７は、環境光を感知して信号をプロセッサに送信してもよい。プロセッサはさらに信号を受信し、表示画面のバックライト輝度を調整してもよい。環境光センサ１７は、カメラセンサ１６に設置されるので、カメラアセンブリ１０を有する電子装置のハウジングに、カメラアセンブリ用の１つの開口部のみを限定する必要がある。この場合、カメラセンサ１６および環境光センサ１７は、開口部を介して光を感知してもよい。すなわち、環境光センサ１７のために、電子装置のハウジングにさらなる開口部を限定する必要はない。電子装置の完全性が向上し、環境光センサが電子装置の前面を占有しなくなったほか、電子装置のスクリーン対ボディ比を上げるのにも役立つ。
【００４５】
レンズホルダ１２は、ゴム、プラスチックなどの材料で作られてもよい。受容空間１２３は、レンズホルダ１２の回路基板１５を向く一方の側に限定されてもよい。光透過通路１２１は、カメラセンサ１６に基本的に垂直な方向に沿ってレンズホルダ１２の中央に限定されてもよい。光透過通路１２１は、受容空間１２３を貫通して延在してもよく、さらに、レンズホルダ１２のカメラホルダ１６から離れる表面まで延在してもよい。すなわち、光透過通路１２１は、レンズホルダ１２を貫通して延在し、さらに、受容空間と連通してもよい。レンズ１４は、レンズホルダ１２のカメラセンサ１６から離れる一方の側に設置されてもよい。すなわち、カメラセンサ１６は、レンズホルダ１２の底部側に設置されて、レンズ１４は、レンズホルダ１２の頂部側に設置されてもよい。レンズ１４の軸線Ｌは、光透過通路１２１の中心線と基本的に一致し、カメラセンサ１６の中心と位置合わせされてもよい。いくつかの実施形態では、レンズホルダ１２の底部側は、カメラアセンブリの開口部から離れる側を指し、レンズホルダ１２の頂部側は、カメラアセンブリの開口部を向く側を指してもよい。
【００４６】
カメラアセンブリ１０は、レンズホルダ１２に設置される赤外線フィルタ１８をさらに備えてもよい。環境光は、レンズ１４、光透過通路１２１、および赤外線フィルタ１８を透過し、さらにカメラセンサ16と環境光センサ17に入射してもよい。
【００４７】
本実施形態において、赤外線フィルタ１８は、レンズホルダ１２の受容空間１２３の頂部側に設置されてもよい。すなわち、赤外線フィルタ１８は、受容空間１２３のカメラセンサ１６を向く側面に設置されてもよい。赤外線フィルタ１８およびレンズ１４は、光透過通路１２１の対向する２つの側面を覆ってもよい。カメラセンサ１６は、赤外線センサ１８から離間してもよい。
【００４８】
環境光センサ１７は、カメラセンサ１６の内側に埋め込まれてもよい。環境光センサ１７は、カメラセンサ１６の光透過通路１２１を向く表面に取り付けられてもよい。すなわち、環境光センサ１７は、カメラセンサ１６のレンズ１４を向く表面に取り付けられてもよい。挿入孔１６２は、カメラセンサ１６の光透過通路１２１を向く一方の側に限定されてもよい。センサ１７は、挿入孔１６２に埋め込まれてもよい。いくつかの実施形態では、挿入孔１６２は、カメラセンサ１６の光透過通路１２１を向く表面の中央に限定されてもよい。挿入孔１６２は、レンズ１４の軸線Ｌと位置あわせされてもよい。
【００４９】
他の実施形態では、挿入孔１６２が光透過通路１２１に対応する限り、挿入孔１６２の中心軸は、レンズ１４の軸線Ｌからオフセットされてもよく、これは、軸線Ｌに基本的に垂直な平面上への環境光センサー１７の投影が光透過通路１２１内に位置することを意味する。
【００５０】
カメラアセンブリ１０は、レンズカバー１９をさらに備え、レンズカバー１９は、レンズホルダ１２を覆い、ほこりまたは不純物がレンズ１４に入ることを防ぐように構成されてもよい。レンズ１４に対応する光入射孔１９１は、レンズカバー１９の中央に限定されてもよい。環境光は、光入射孔１９１からレンズ１４に入射してもよい。いくつかの実施形態において、レンズカバー１９は、透明材料から作製されてもよい。
【００５１】
図２に示すように、カメラセンサ１６は、配線層１６３と、配線層１６３に配列される複数のフォトダイオード１６５とをさらに備えてもよい。挿入孔１６２は、環境光センサ１７を受け入れるように構成されてもよい。すなわち、環境光センサ１７に対応する配線層１６３上の位置には、フォトダイオード１６５は設置されない。環境光センサ１７は、挿入孔１６２に受容されてもよい。
【００５２】
この実施形態では、カメラセンサ１６および環境光センサ１７は、Ｉ２Ｃバスを共有してもよい。
【００５３】
カメラアセンブリ１０を使用するとき、カメラアセンブリ１０は、最初に電子装置のハウジングに取り付けられ、カメラアセンブリ１０のレンズに対応する孔がハウジングに限定されてもよい。カメラセンサ１６は、光学的画像を電気信号に変換することが可能である。電気信号は、アナログによってデジタル信号にさらに変換してもよい。デジタル信号はDSPでさらに処理され、電子装置のプロセッサに送信されて処理される。これにより、デジタル信号は、電子装置の表示画面で確認できる画像に変換される。環境光センサ１７は、カメラアセンブリの開口部、レンズ１４、および光透過通路１２１を透過した環境光を感知し、さらに信号をプロセッサに送信してもよい。プロセッサは、信号を受信し、電子装置の表示画面のバックライト輝度を調整してもよい。
【００５４】
環境光センサ１７はカメラセンサ１６に設置されているので、カメラアセンブリ１０を有する電子装置のハウジングにカメラアセンブリ用の１つの開口部のみを限定する必要があり、環境光センサのための別の開口部を限定する必要はない。このようにして、電子装置のハウジングは、より優れた一体性を有し、環境光センサの開口部を限定するための製造コストを節約することが可能である。さらに、環境光センサは、また、電子装置のハウジングの内部空間を占有しないので、ハウジング内において電子部品の設置を容易にする。さらに、電子装置のスクリーン対ボディ比に有利である。
【００５５】
図３は、本開示の第２の実施形態によるカメラセンサの部分的透視構造図である。図３に示すように、第２の実施形態において、第１の実施形態での配線層１６３に設置され、光透過通路１２１と位置合わせされた複数のフォトダイオードのうちの１つが、環境光センサ１７ａとして設定されてもよいこと以外、本開示の第２の実施形態におけるカメラセンサの構造は、第１の実施形態におけるカメラセンサの構造と同様である。すなわち、カメラセンサ１６ａの設計および製造中に、カメラセンサ１６の複数のフォトダイオードのうちの１つが環境光センサとして設定されてもよい。カメラアセンブリを使用する場合、環境光はレンズ１４、光透過通路１２１、および赤外線フィルタ１８を透過し、さらにカメラセンサ１６に入射する。複数のフォトダイオードのうちの１つは、環境光を感知することが可能である。光センサ１７ａは、環境光を感知し、さらに信号を電子装置のプロセッサに送信することが可能である。プロセッサは、さらに信号を受信し、表示画面のバックライト輝度を調整してもよい。カメラセンサ１６上の他のフォトダイオードは、撮影のために構成されてもよい。
【００５６】
図４は、本開示の第３の実施形態によるカメラアセンブリの概略構造図である。図４に示すように、第３の実施形態において、カメラアセンブリ１０ａの環境光センサ１７は、カメラセンサ１６の光透過通路１２１またはレンズ１４を向く表面に設置されてもよいこと以外、本開示の第３の実施形態におけるカメラアセンブリの構造は、第１の実施形態のカメラアセンブリの構造と同様である。環境光センサ１７の中心は、レンズ１４の軸線Ｌと位置合わせされてもよい。環境光センサ１７は、回路基板１５に電気的に接続されてもよい。
【００５７】
図５は、本開示の第４の実施形態によるカメラアセンブリの概略構造図である。図５に示すように、第４の実施形態において、環境光センサ１７が光透過通路１２１に対応する、つまり軸Ｌに基本的に垂直な平面上の環境光センサ１７の投影が光透過通路121内に位置する限り、カメラアセンブリ１０ｂの環境光センサ１７は、カメラセンサ１６の光透過通路１２１を向く表面に設置されるが、レンズ１４の軸Ｌからオフセットされてもよいこと以外、本開示の第４の実施形態におけるカメラアセンブリの構造は、第３の実施形態におけるカメラアセンブリと同様である。
【００５８】
図６は、本開示の第５の実施形態によるカメラアセンブリの概略構造図である。図６に示すように、第５の実施形態において、光透過通路１２１に隣接する受容孔１２４がカメラアセンブリ１０ｃのレンズホルダ１２にさらに限定されてもよいこと以外、本開示の第５の実施形態におけるカメラアセンブリの構造は、第１の実施形態のカメラアセンブリと同様である。環境光センサ１７は、受容孔１２４に受容されてもよい。環境光は、レンズ１４を透過し、さらに環境光センサ１７に入射してもよい。さらに、レンズホルダ１２のカメラセンサ１６から離れる側面の中央部に、取付スペース１２５を設けてもよい。取り付け空間１２５は、光透過通路１２１と連通してもよく、レンズ１４は、取り付け空間１２５内に受容されてもよい。階段部１２６は、レンズホルダ１２の光透過通路１２１内、かつ取り付けスペース１２５と受け入れスペース１２３との間に形成されてもよい。
【００５９】
より具体的には、レンズホルダ１２は、光透過通路１２１を形成する内壁１２１ａを備えてもよい。階段部１２６は、レンズホルダ１２の光透過通路１２１内に、レンズ１４に隣接する内壁１２１ａの一端において形成されてもよい。この実施形態では、受容孔１２４は、階段部１２６のカメラセンサ１６から離れる側に限定されてもよい。受容孔１２４は、光透過通路１２１に隣接して設置されてもよい。すなわち、環境光センサ１７は、受容孔１２４に受容されてもよい。すなわち、環境光センサ１７は、階段部１２６に設置されてもよい。
【００６０】
赤外線フィルタ１８は、階段部１２６にさらに設置され、レンズ１４に取り付けられてもよい。赤外線フィルタ１８は、環境光センサ１７を覆い、レンズ１４は、赤外線フィルタ１８に設置されてもよい。
【００６１】
他の実施形態では、環境光がレンズ１４および赤外線フィルタ１８を透過し、さらに受容孔１２４に受容される環境光センサ１７に入射することが可能である限り、受容孔１２４は、階段部１２６のカメラセンサ１６から離れる一方の側に限定され、さらに光透過通路１２１から離れて設置されてもよい。
【００６２】
貫通スロット１２７は、レンズスロット１２に形成されてもよく、貫通スロット１２７は、受容孔１２４および受容空間１２３と連通してもよい。環境光センサ１７は、貫通スロット127を通るワイヤを介し、回路基板１５に電気的に接続してもよい。
【００６３】
カメラアセンブリを使用する場合、カメラアセンブリ１０ｃは電子装置に取り付けられる。環境光は、カメラアセンブリの開口部、レンズ１４、および赤外線フィルタ１８を透過し、さらに環境光センサ１７に入射してもよい。環境光センサ１７は、環境光を感知し、さらに信号を電子装置のプロセッサに送信することが可能である。プロセッサは、信号をさらに受信して、電子装置の表示画面のバックライト輝度を制御してもよい。このようにして、電子装置の消費電力を低減することが可能であり、表示画面は柔らかに画像を表示することができる。
【００６４】
本開示のカメラアセンブリ１０ｃの環境光センサ１７は、レンズホルダ１２の階段部分１２６に設置されるので、環境光センサ１７は、カメラアセンブリ１０ｃの外部の環境光を感知するのに便利である。さらに、環境光センサ１７はカメラセンサ１６を遮ることはなく、カメラアセンブリ１０ｃでの撮影を容易にする。
【００６５】
図７は、本開示の第６の実施形態によるカメラアセンブリの概略構造図である。図７に示すように、第６の実施形態では、カメラアセンブリ１０ｄのレンズホルダ１２において、レンズ１４に隣接する内壁１２１ａの一端に面取り１２８を形成してもよいこと以外、本開示の第６の実施形態におけるカメラアセンブリの構造は、第５の実施形態のカメラアセンブリと同様である。環境光センサ１７は、面取り１２８の表面に取り付けられてもよい。すなわち、面取り１２８は、階段部１２６のレンズ１４を向く側面と光透過通路１２１の内壁１２１ａとの間の接合部に形成されてもよい。環境光センサ１７は、面取り１２８の表面に取り付けられてもよい。貫通スロット１２７は、レンズホルダ１２に限定されてもよい。この場合、貫通スロット１２７は、受容空間１２３と連通してもよく、さらに面取り１２８の表面に延在する。環境光センサ１７は、貫通スロット１２７を通るワイヤを介して回路基板１５に電気的に接続してもよい。
【００６６】
カメラアセンブリ１０を使用する場合、カメラアセンブリ１０ｄは電子装置に取り付けられる。環境光は、カメラアセンブリ用の開口部、レンズ１４、および赤外線フィルタ１８を透過し、さらに環境光センサ１７に入射してもよい。環境光センサ１７は、環境光を感知し、さらに信号を電子装置のプロセッサに送信してもよい。プロセッサはさらに信号を受信し、電子装置の表示画面のバックライト輝度を制御してもよい。これにより、電子装置の消費電力を低減することが可能であり、表示画面は柔らかに画像を表示することができる。
【００６７】
本開示のカメラアセンブリ１０ｄの環境光センサ１７は、レンズホルダ１２の階段部１２６の面取り１２８に設置されるので、環境光センサ１７は、カメラアセンブリ１０ｃの外部の環境光をより多く感知できる。また、環境光センサ１７は、カメラセンサ１６を遮ることはなく、カメラアセンブリ１０ｃでの撮影を容易にする。
【００６８】
他の実施形態では、階段部１２６のレンズ１４を向く側面と光透過通路１２１の内壁１２１ａとの間の接合部にノッチを限定してもよい。環境光センサ１７は、ノッチに受容されてもよい。環境光は、カメラアセンブリの開口部、レンズ１４、および赤外線フィルタ１８を透過し、さらに環境光センサ１７に入射してもよい。
【００６９】
図８は、本開示の第７の実施形態による電子装置の概略構成図である。図８に示すように、電子装置１００は、ハウジング３０と、ハウジング３０の前面に設置されるスクリーン４０と、ハウジング３０内に設置されるメインボード５０、および上記のいずれかの実施形態で記載したカメラアセンブリ１０を備えてもよい。カメラの開口部３０２は、ハウジング３０の前面の表示画面４０の上頂部に限定されてもよい。カメラアセンブリ１０は、ハウジング３０に取り付けられてもよい。カメラアセンブリ１０のレンズは、開口部３０２と位置合わせされてもよい。カメラアセンブリ１０の回路基板は、メインボード５０に電気的に接続されてもよい。
【００７０】
この実施形態では、電子装置１００はスマートフォンであってもよく、カメラアセンブリ１０はスマートフォンのフロントカメラであってもよい。
【００７１】
電子装置１００を使用する場合、電子装置１００の周囲の環境光は、開口部３０２、レンズ、赤外線フィルタ、および光透過通路を透過し、さらに環境光センサに入射することが可能である。環境光センサは、環境光を感知し、さらに信号をメインボード50上のプロセッサに送信してもよい。プロセッサは、信号を受信して、表示画面40のバックライト輝度を調整してもよい。このようにして、電子装置１００の消費電力を削減することが可能であり、表示画面４０は、柔らかに画像を表示することができる。
【００７２】
電子装置１００を使用して写真を撮る必要があるとき、撮影されるべき物体の光学的画像は、カメラアセンブリ１０のレンズを介してカメラセンサに投影されてもよい。カメラセンサは、光学的画像を電気信号に変換してもよい。さらに、電気信号は、アナログ・デジタル変換によってデジタル信号に変換されてもよい。デジタル信号は、ＤＳＰによってさらに処理され、メインボード５０上のプロセッサに送信され、処理されてもよく、これにより、デジタル信号を、電子装置１００の表示画面上で見ることができる画像に変換することが可能である。
【００７３】
ハウジング３０の前面はカメラのための開口部３０２のみを限定し、環境光センサはカメラアセンブリ１０に集積されるので、ハウジング３０がより良好な一体性を有し、環境光センサのための開口部を限定するコストが節約されることが可能である。さらに、環境光センサは、電子装置のハウジング３０の内部空間を占有せず、ハウジング内の電子部品の設置を容易にする。さらに、電子装置１００のスクリーン対ボディ比を向上することも可能になる。
【００７４】
他の実施形態では、カメラアセンブリ１０ａ、１０ｂ、１０ｃまたは１０ｄは、ハウジング３０に取り付けられてもよい。
【００７５】
以上は、本開示の実施形態であるが、当業者は、本開示の原理から逸脱することなく、いくつかの改善および変更を行うこともできることに留意されたい。これらはすべて、本開示の保護範囲内に含まれるものとする。
【手続補正２】
【補正対象書類名】図面
【補正対象項目名】全図
【補正方法】変更
【補正の内容】
【図１】
2021516510.tif 000011
【図２】
2021516510.tif 000012
【図３】
2021516510.tif 000013
【図４】
2021516510.tif 000014
【図５】
2021516510.tif 000015
【図６】
2021516510.tif 000016
【図７】
2021516510.tif 000017
【図８】
2021516510.tif 000018
【国際調査報告】
2021516510.tif 000019
2021516510.tif 000020
2021516510.tif 000021